【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
中間体基材を使用する可変データオフセット印刷プロセスまたはインクジェット印刷プロセスのためのインク組成物であって、
ナノ粒子であって、前記ナノ粒子のそれぞれがポリマーまたは複数のポリマーのポリマーブレンドであり、前記ポリマーまたはポリマーブレンドのポリマーが、１００℃未満の温度で水分散性であり、前記インク組成物の合計固形分含有量が、前記インク組成物の総量に対して２５重量％以上の範囲の量であり、
前記ポリマーまたはポリマーブレンドのポリマーがスルホン酸化ポリエステルであり、
前記スルホン酸化ポリエステルがコポリ（１，２−プロピレン−ジプロピレン−テレフタレート）−コポリ（１，２−プロピレン−ジプロピレン−５−ソジオスルホ−イソフタレート）である、インク組成物。
【請求項２】
前記インク組成物の前記合計固形分含有量が、前記インク組成物の総量に対して２５重量％〜５０重量％の範囲の量である、請求項１に記載のインク組成物。
【請求項３】
前記インク組成物の前記合計固形分含有量が、前記インク組成物の総量に対して５０重量％を超える、請求項１に記載のインク組成物。
【請求項４】
前記ポリマーが、グリコール、多官能グリコール、アルコール、多官能アルコール、酸およびそれらの塩からなる群から選択されるモノマーに由来する成分を含み、
前記ポリマーブレンドが、カルボキシル−ポリエステルおよびポリエステルからなる群から選択される成分を含む、請求項１に記載のインク組成物。
【請求項５】
前記ポリマーまたはポリマーブレンドのポリマーが、５，０００から２０，０００の分子量を有する、請求項１に記載のインク組成物。
【請求項６】
前記ポリマーまたはポリマーブレンドのポリマーが、７０℃を超え、９５℃までの温度で実質的に可溶性である、請求項１に記載のインク組成物。
【請求項７】
前記ポリマーまたはポリマーブレンドのポリマーが、不飽和官能基を含有する、請求項１に記載のインク組成物。
【請求項８】
共溶媒であって、前記共溶媒は、表面張力が、１５ダイン／センチメートル〜４０ダイン／センチメートルであり、前記共溶媒が、アルコール、グリコール、アルキルピロリジノン、イソプロパノール、ケトン、メチルエチルケトン、アミノアルコールおよびＤＭＳＯを含む群から選択される、共溶媒を含む、請求項１に記載のインク組成物。
【請求項９】
前記ナノ粒子ポリマーは、大きさが２００ｎｍ未満であるか、またはナノ粒子の混合物が、二峰性または三峰性の分布を形成する、請求項１に記載のインク組成物。
【請求項１０】
無機粒子、シリカ、顔料、塩、殺生物剤、バッファーまたは保水剤のいずれかまたはそれらの混合物をさらに含有する、請求項１に記載のインク組成物。
【請求項１１】
粒径が５〜２００ｎｍの自己分散性顔料をさらに含み、この顔料が化学修飾されているか、または樹脂に包まれている、請求項１に記載のインク組成物。
【請求項１２】
自己分散性顔料であって、前記ポリマーまたは前記ポリマーブレンドにより包まれているか、または、前記ポリマーまたは前記ポリマーブレンドと凝集しており、それによって、ナノ粒子を形成している自己分散性顔料をさらに含有する、請求項１に記載のインク組成物。
【請求項１３】
界面活性剤ををさらに含有する、請求項１に記載のインク組成物。
【請求項１４】
２０〜５０℃の温度範囲での前記インク組成物の粘度が、１０センチポイズ〜１，０００，０００センチポイズである、請求項２に記載のインク組成物。
【請求項１５】
液体媒剤の０〜８０％を失った後の前記インク組成物の１０℃〜９０℃の温度での粘度が、１０，０００センチポイズ〜１，０００，０００，０００センチポイズである、請求項２に記載のインク組成物。
【請求項１６】
２０℃〜５０℃の温度範囲での前記インク組成物の粘度が、２センチポイズ〜１０センチポイズである、請求項２に記載のインク組成物。
【請求項１７】
前記ポリマーまたは前記ポリマーブレンドの臨界相分離温度が、５０℃〜９０℃である、請求項１に記載のインク組成物。
【請求項１８】
前記インク組成物の表面張力が、２５℃において、または、２０〜５０℃の温度範囲で、１５〜４０ダイン／センチメートルである、請求項１に記載のインク組成物。
【請求項１９】
前記インク組成物の密度の範囲が、０．９５〜１．３ｇ／ｍＬである、請求項１に記載のインク組成物。
【請求項２０】
前記顔料を包み込むために用いられる樹脂が、前記顔料とこれを包み込む樹脂とを合わせた重量の９％〜６６％である、請求項１１に記載のインク組成物。
【請求項２１】
中間体基材を使用する可変データオフセット印刷プロセスまたはインクジェット印刷プロセスのためのインク組成物であって、
ナノ粒子を含み、
前記ナノ粒子のそれぞれがポリマーまたは複数のポリマーのポリマーブレンドであり、
前記ポリマーまたはポリマーブレンドのポリマーが、１００℃未満の温度で水分散性であり、
前記インク組成物の合計固形分含有量が、前記インク組成物の総量に対して４重量％〜２５重量％の範囲の量であり、
前記ポリマーまたはポリマーブレンドのポリマーがスルホン酸化ポリエステルであり、
前記スルホン酸化ポリエステルがコポリ（１，２−プロピレン−ジプロピレン−テレフタレート）−コポリ（１，２−プロピレン−ジプロピレン−５−ソジオスルホ−イソフタレート）である、インク組成物。
【請求項２２】
固形分含有量が高いインクを用いて印刷する方法であって、
水およびナノ粒子を含み、前記ナノ粒子のそれぞれがポリマーまたは複数のポリマーのポリマーブレンドであるインクを提供すること、並びに、前記インクを中間転写体に塗布することを含み、
前記ポリマーまたは前記ポリマーブレンドのポリマーが１００℃未満の温度で水分散性であり、前記インク組成物の固形分含有量が前記インク組成物の総量に対して５重量％〜５０重量％の量であり、
前記ポリマーまたはポリマーブレンドのポリマーがスルホン酸化ポリエステルであり、
前記スルホン酸化ポリエステルがコポリ（１，２−プロピレン−ジプロピレン−テレフタレート）−コポリ（１，２−プロピレン−ジプロピレン−５−ソジオスルホ−イソフタレート）である、方法。
【請求項２３】
前記中間転写体の表面張力が１８ダイン／センチメートル〜２５ダイン／センチメートルである、請求項２２に記載の方法。
【請求項２４】
前記中間転写体が、シリコーンまたはフルオロシリコーンを含む表面を有する、請求項２２に記載の方法。
【請求項２５】
前記塗布することが、
臨界相分離温度の上限よりも高いインク温度で前記インクを塗布し、前記臨界相分離温度の前記上限が３０℃〜５０℃であることと、
前記中間転写体の上で前記インクを冷却することと、
前記インクを前記中間転写体から印刷可能な基材へと転写することとをさらに含む、請求項２２に記載の方法。
【請求項２６】
前記印刷可能な基材が、インク系デジタル印刷システムの画像化部材である、請求項２５に記載の方法。
【請求項２７】
塗布する前にインクを水で希釈することをさらに含み、それによって、前記インクの前記固形分含有量は５％〜２５重量％となり、
前記インクを中間転写体に塗布することが、インクジェット印刷ヘッドからその希釈したインクを吐出することを含む、請求項２２に記載の方法。
【手続補正２】
【補正対象書類名】明細書
【補正対象項目名】発明の名称
【補正方法】変更
【補正の内容】
【発明の名称】インク組成物および印刷方法